【手続補正書】
【提出日】平成17年7月4日(2005.7.4)
【手続補正１】
【補正対象書類名】明細書
【補正対象項目名】全文
【補正方法】変更
【補正の内容】
【書類名】        明細書
【発明の名称】    レンズ鏡筒
【特許請求の範囲】
【請求項１】  カム溝を有する第１の枠と、
上記第１の枠に対して移動する第２の枠と、
上記第２の枠に軸支されていて、上記カム溝のカム摺動面に嵌合して接触摺動する摺接面を有するカムフォロアと、
上記カムフォロアの上記摺接面の最大径部から軸方向に傾斜した逃げ面を設けることによって、上記カムフォロアの上記摺接面の端部に形成されたエッジ部と、
を具備することを特徴とするレンズ鏡筒。
【請求項２】  上記カムフォロアの摺接面は、上記カム溝のカム摺接面と同一角度の傾斜面にて形成された、円錐面状となっていることを特徴とする請求項１に記載のレンズ鏡筒。
【請求項３】  上記第１の枠に対して上記第２の枠が相対移動動作中において、上記カムフォロアの上記エッジ部は上記カム溝の摺接面に食い込むように作用することを特徴とする請求項１に記載のレンズ鏡筒。
する。
【発明の詳細な説明】
【０００１】
【発明の属する技術分野】
本発明は、相対的に進退可能な複数の鏡枠を有するレンズ鏡筒に関する。
【０００２】
【従来の技術】
従来の進退可能な鏡枠を有するレンズ鏡筒において、円筒状の鏡枠を進退駆動するものとして、光軸に対して斜行するカム溝とそのカム溝に摺動自在に嵌入するカムフォロアを組み合わせた機構が一般的に利用されている。上述のカム溝に嵌入するカムフォロアの摺接構造としては、従来からカム摺動面上をカムフォロアの摺動面の全面が単に摺接して駆動されるような構造が採られていた。
【０００３】
【発明が解決しようとする課題】
しかしながら、上述のカムとカムフォロアを適用するレンズ鏡筒等においては、近年の製品の小型化や軽量化の要求から鏡枠の大きさが小さくなり、また、鏡枠の厚さ自体も薄くなる傾向にある。したがって、鏡枠自体が変形しやすくなっており、カムフォロアに力が掛かった場合に鏡枠が変形してカムとカムフォロアとの係合が外れてしまうおそれがあった。
【０００４】
本発明は、上述の不具合を解決するためになされたものであり、カムフォロアを適用した枠進退機構を有するレンズ鏡筒において、カムフォロアの嵌合部分での外れが発生しにくく、しかも、枠の小型化が可能であって、スムーズな進退駆動が可能なレンズ鏡筒を提供することを目的とする。
【０００５】
【課題を解決するための手段】
本発明の一態様によるレンズ鏡筒は、カム溝を有する第１の枠と、上記第１の枠に対して移動する第２の枠と、上記第２の枠に軸支されていて、上記カム溝のカム摺動面に嵌合して接触摺動する摺接面を有するカムフォロアと、上記カムフォロアの上記摺接面の最大径部から軸方向に傾斜した逃げ面を設けることによって、上記カムフォロアの上記摺接面の端部に形成されたエッジ部と、を具備することを特徴とする。
【０００６】
【発明の実施の形態】
以下、本発明の実施の形態を図に基づいて説明する。  
図１，２は、本発明の一実施の形態であるレンズ鏡筒５０の分解斜視図である。図３，４は、上記レンズ鏡筒１の各状態での縦断面図であって、図３は、沈胴状態を示し、図４は、上半部が撮影準備状態およびワイド状態を、下半部がテレ状態を示す。なお、図１，２の分解斜視図における各部材は、形状を明らかにするために必ずしも組み立て状態時の回転方向の姿勢では示されていない。
【０００７】
本レンズ鏡筒５０は、図１に示す沈胴位置から撮影準備位置間、すなわち、沈胴駆動領域の進退駆動を行う沈胴駆動系５０Ａと、図２に示す各レンズ群枠の繰り出し駆動を行うレンズ群駆動系５０Ｂと、レンズ群枠部５０Ｃとからなる。
【０００８】
上記沈胴駆動系５０Ａは、図１に示すように、主にカメラ本体に固定支持され、ヘリコイド駆動ギヤ７および駆動リング３を有する固定枠１と、沈胴位置と撮影準備位置間を進退し、上記撮影準備位置でワイド位置からテレ位置間を回動する回転枠２と、後述する移動枠５に回動自在に支持されるヘリコイドリング４と、上記回転枠２と共に沈胴位置と撮影可能位置間を直進移動する移動枠５とからなる。
【０００９】
上記沈胴駆動系５０Ａの各構造部材について詳細に説明すると、上記固定枠１は、カメラ本体５１（図３参照）に固着して支持されており、その外周部に貫通する移動枠突起挿通用直進溝１ｄが設けられ、内周部にヘイコイド雌ネジ１ａ、および、直進溝１ｂが設けられている。さらに、先端部に設けられている駆動リング支持部１ｃには、駆動リング３が回動駆動可能に装着され、当て板６により、上記駆動リング３のスラスト位置が規制される。また、外周部に軸方向に沿う長尺ギヤ形状のヘリコイドリング駆動ギヤ７が回転可能に支持され、その歯部は、固定枠内周部に露出している。  
なお、上記直進溝１ｂ、および、後述する各直進溝は、撮影光学系の光軸Ｏに平行に設けられる溝とする。
【００１０】
上記駆動リング３には、外周部に図示しないズーム駆動系に噛合して駆動されるズームギヤ３ａおよび図示しないファインダ駆動系に噛合して駆動されるファインダギヤ３ｂとが設けられ、内周部に切り欠き状の凹部３ｃが設けられている。
【００１１】
上記回転枠２には、その内周部に谷状溝である直進溝２ａと、内周前方（被写体側）端部に内周溝２ｂが設けられ、外周部に突起２ｃが設けられている。なお、上記直進溝２ａは、その溝幅が光軸中心に向けて拡大する溝形状を有している。この直進溝２ａには、後述するカム枠Ｍ１１に固着されるテーパ状カムフォロア１７が摺動可能に嵌合する。
【００１２】
上記ヘリコイドリング４には、その外周部にヘリコイド雄ネジ４ａと駆動ギヤ４ｂとが設けられている。
【００１３】
上記移動枠５には、その外周部にストロボ駆動用突起５ａと、直進ガイド用突起５ｂ，５ｃと、突起５ｄと、上記突起５ｃと突起５ｂおよび各突起５ｃ間を結ぶリング状のリブ部と上記突起５ｄの間に形成される周方向ガイド５ｅと、先端に突起５ｆとが設けられ、内周部に３組の複列の直進溝５ｇが設けられている。さらに、内外周を貫通する３つの谷状溝であるカム溝５ｈが設けられている。なお、上記カム溝５ｈは、光軸Ｏに対して斜行する斜行溝部を有し、その溝幅が光軸中心に向けて縮小する溝形状を有しており、このカム溝５ｈには、後述するカム枠Ｍ１１に支持されたテーパ状カムフォロア１８が摺動（転動）可能に嵌合する。
【００１４】
上述の各部材で構成される沈胴駆動系５０Ａにおいて、上記移動枠５にはその周方向ガイド５ｅに上記ヘリコイドリング４が嵌入し、軸方向位置が規制された状態で回動自在に保持され、さらに、内周部には後述するレンズ群駆動系５０Ｂおよび各レンズ群枠部５０Ｃが回動，進退自在に組み込まれる。その移動枠５は、回転枠２の内周部に嵌入されるが、その嵌入状態で突起５ｆが内周溝２ｂと係合するので、回転枠２に対して軸方向位置が規制された状態で回動自在に支持されることになる。
【００１５】
上記回転枠２および移動枠５は、それぞれ突起２ｃ，５ｃ，５ｂを直進溝１ｂおよび１ｄに嵌入させた状態で固定枠１に直進可能状態で挿入される。そのとき、ヘリコイドリング４のヘリコイド雄ネジ４ａを固定枠１のヘリコイド雌ネジ１ａに、また、駆動ギヤ４ｂをヘリコイドリング駆動ギヤ７にそれぞれ噛合させる。
【００１６】
上記回転枠２および移動枠５の固定枠１への組み付け状態において、移動枠５と回転枠２がフィルム面側の沈胴位置にあるときに（図３参照）、ヘリコイドリング駆動ギヤ７を時計回り（被写体側から見て）Ｂ1 方向に回転させると、ヘリコイドリング４が反時計回りＣ1 方向に回動する。その回動によって移動枠５と回転枠２がＤ1 方向（被写体側方向）に一体的に撮影準備位置まで繰り出される（図４の上半部分参照）。
【００１７】
上記撮影準備位置に到達した状態では、回転枠２は、その突起２ｃが固定枠１の直進溝１ｂから外れ、駆動リングの凹部３ｃ側に嵌合する。この状態でズーム駆動系により駆動リング３をＥ0 方向に回動駆動させると、回転枠２が回動し、撮影準備位置から同方向に僅か回動してワイド位置へ到達し、さらに、同方向に回動するとテレ位置へズーム駆動される。
【００１８】
なお、駆動リング３を上述とは逆方向のＥ1 方向に回転駆動することによって、回転枠２がズーム位置から撮影準備位置へ回動し、さらに、ヘリコイドリング駆動ギヤ７を上述とは逆方向のＢ0 方向に回転駆動することによって、回転枠２および移動枠５を沈胴位置に繰り込むことができる。
【００１９】
次に、上記レンズ群駆動系５０Ｂについて説明する。  
レンズ群駆動系５０Ｂは、図２に示すように、主に可動フレア絞り１５を支持する枠部材であり、移動枠５内に嵌入して進退駆動され、回転枠２と共に回転する樹脂製の第一の枠であるカム枠Ｍ１１と、カム枠Ｍ１１と共に回転し、２群枠２２を介して進退駆動されるカム枠Ｆ１２と、キー押さえ１４が固着され、レンズ群枠を直進ガイドするキーリング１３と、カム枠Ｍ１１に支持され、直進移動する絞り部材である可動フレア絞り１５とからなる。
【００２０】
レンズ群駆動系５０Ｂを構成する上記各部材について詳細に説明する。  
上記カム枠Ｍ１１は、上記移動枠５の内周に回動かつ進退可能に嵌入する部材であり、外周部には、可動フレア絞りの先端凸部１５ｃが摺動する摺動面としての外周面１１ａと、段差面としての段差側面１１ｂと、段差周面１１ｃと、所定幅の端部外周面１１ａ′と、段差周面１１ｃの周方向に隣接する周方向傾斜面１１ｄとが設けられている。
【００２１】
さらに、カム枠Ｍ１１の外周部には、光軸中心に向けて径が増大するテーパ状の摺動面をもつ３つのカムフォロア１７がその軸部１７ａを圧入して固着保持されいる。また、上記カムフォロア１７の軸部１７ａに回転自在に支持され、光軸中心に向けて径が縮小するテーパ状の３つのカムフォロア１８も配設されている。また、内周部には、フィルム面側端部に設けられる内周溝１１ｅと、３つの直進溝１１ｆと、光軸Ｏに対し傾斜する斜行溝部を有する３つの２群カム溝１１ｇとが設けられている。
【００２２】
なお、上記段差周面１１ｃは、フィルム面側端部に上記外周面１１ａより一段低く形成される面であって、可動フレア絞り１５の腕部の先端凸部１５ｃが摺接する摺動面である。なお、上記段差周面１１ｃの軸方向の幅は、先端凸部１５ｃが周方向に摺動できるように先端凸部１５ｃの軸方向の幅よりも僅かに大きいものとする。
【００２３】
また、上記端部外周面１１ａ′は、上記段差周面１１ｃの周方向に設けられる上記外周面１１ａと同一径の面であって、可動フレア絞り１５の先端凸部１５ｃが摺接する所定幅の摺接面である。
【００２４】
上記カム枠Ｆ１２は、上記カム枠Ｍ１１の内周に進退可能に嵌合する部材であって、外周部には３つの突起１２ａが設けられ、内周部には光軸Ｏに対し傾斜する斜行溝部を有する各３つの１群カム溝１２ｂ，２群カム溝１２ｃと、１つの３群カム溝１２ｄとが設けられている。
【００２５】
上記可動フレア絞り１５は、極薄板の部材であって、中央部に設けられるフレア絞り開口部となる開口１５ａと、装着前の自由状態で光軸Ｏに平行な方向から多少内側に向けて延出する弾性変形可能な部分であって、その先端部に周方向に突状の先端凸部１５ｃを有する３つの腕部１５ｂとが設けられている。組み付け状態において、上記先端凸部１５ｃは、上記腕部１５ｂが弾性変形してカム枠Ｍ１１の外周部１１ａ、または、段差周面１１ｃに所定付勢力で当接するものとする。
【００２６】
上記キーリング１３は、各レンズ群枠を直進ガイドするための薄板状部材であって、ビス孔１３ａと、位置決め孔１３ｂと、外周に設けられる３つの複列突起１３ｄと、複列突起１３ｄの間の溝１３ｅと、２つの切り欠き１３ｃと、光軸方向に延出する直進キー１３ｆとが設けられている。
【００２７】
上記キー押さえ１４は、円環の一部がカットされた弾性変形可能な部材であり、外周に沿って設けられる鍔１４ａと、２つのビス用ネジ孔１４ｂと、上記各ネジ孔の側方に設けられ、位置決め孔１３ｂに嵌入可能な位置決めピン１４ｃと、爪状係止部１４ｅを持つ２つの押さえピン１４ｄとが設けられている。
【００２８】
上述の各部材で構成されるレンズ群駆動系５０Ｂにおいて、まず、カム枠Ｍ１１には、その内周の直進溝１１ｆに突起１２ａを嵌合させた状態でカム枠Ｆ１２が進退摺動自在に嵌入され、さらに、カム枠Ｍ１１およびカム枠Ｆ１２内周部には、後述する各レンズ群枠が進退自在に組み込まれる。
【００２９】
レンズ群枠等が組み込まれたカム枠Ｍ１１は、沈胴駆動系５０Ａの移動枠５の内周部に回動自在に嵌入され、カム枠Ｍのカムフォロア１８がカム溝５ｈに摺動自在に嵌入する。さらに、カムフォロア１８が嵌入する軸部１７ａを持つカムフォロア１７は、移動枠５を挿通して、回転枠２の直進溝２ａに摺動自在に嵌入する。したがって、回転枠２の回動に伴いカム枠Ｍ１１が共に回動しながら、移動枠５のカム溝５ｈによって光軸方向へ進退駆動する。
【００３０】
キー押さえ１４は、径方向に広げた状態で鍔１４ａをカム枠Ｍ１１の内周溝１１ｅに嵌入される。そのキー押さえ１４にキーリング１３が位置決めピン１４ｃと位置決め孔１３ｂで位置決めされた状態で取り付けられ、ビス１６により固着状態とする。したがって、キーリング１３は、カム枠Ｍ１１に対してフィルム側端部に軸方向位置が規制された状態で回動自在に支持される。
【００３１】
上記キーリング１３は、その複列の突起１３ｄが直進進退する移動枠５の複列の直進溝５ｇに摺動自在に嵌入されるので、回動することなく直進駆動される。さらに、キーリング１３の直進キー１３ｆが後述する２群レンズ枠２２の直進ガイド孔２２ｃに摺動自在に嵌入されるので、上記２群枠２２、および、２群枠に支持される１群枠２１，３群枠２３が直進ガイドされる。
【００３２】
可動フレア絞り１５は、その腕部１５ｂが上記キーリングの凹部１３ｅをフィルム面側から挿通し、先端凸部１５ｃが上記カム枠Ｍ１１の外周面１１ａ、または、段差周面１１ｃに摺接可能な状態で取り付けられる。
【００３３】
次に、上記レンズ群枠部５０Ｃについて説明する。  
レンズ群枠部５０Ｃは、カム枠Ｍ１１，カム枠Ｆ１２に内蔵され、直進移動する各レンズ群保持枠で構成され、上記カム枠Ｆ１２を介して進退駆動され、１群レンズ４１を保持する１群枠２１と、上記キーリング１３を介して直進ガイドされ、上記カム枠Ｍ１１によって進退駆動される第二の枠である２群枠２２と、カム枠Ｆ１２を介して進退駆動される可動フォロア２８と、可動フォロア２８を介して進退駆動され、３群レンズ４３を保持する３群枠２３と、２群枠２２に保持されてフォーカシング駆動系（図示せず）により直進駆動され、２群レンズ４２を保持するフォーカシング枠２９（図３，４参照）とからなる。
【００３４】
上記２群枠２２には、外周部に各３つの金属製のカムフォロア３２，３３が固着され、先端部に３つの突起２２ｂが設けられている。内周部には、キーリングの直進キー１３ｆが嵌入する直進ガイド孔２２ｃと、光軸Ｏ方向に沿う軸孔２２ｄ，切り欠き２２ｅと、光軸Ｏ方向に沿って固着支持されたガイド軸２７と、シャッタ４４が装着される開口２２ａが設けられている。
【００３５】
上記１群枠２１は、開口部２１ａに１群レンズ４１を保持しており、外周部に３つのカムフォロア３１と、内周部に直進溝２１ｂが設けられている。
【００３６】
上記可動フォロア２８は、３群枠２３の進退位置を規制する部材であり、２群枠２２のガイド軸２７の摺動自在に嵌入する軸孔２８ａと、カムフォロア２８ｂと、３群枠２３を係止するための係止爪２８ｃとが設けられている。
【００３７】
上記３群枠２３は、２群枠２２により直進方向に摺動自在に支持される部材であって、固着支持されるガイド軸２４，２５と、可動フォロアの係止爪２８ｃとの被係止部２３ｂが設けられ、開口部に３群レンズ４３が保持されている。
【００３８】
フォーカシング枠２９は、２群レンズ４２を保持し、上記２群枠２２に進退可能に支持され、図示しないフォーカシング駆動系によって進退駆動される（図３，４参照）。
【００３９】
以上のような部材からなるレンズ群枠部５０Ｃにおいては、２群枠２２には、被写体側外周の突起２２ｂを１群枠の直進溝２１ｂに摺動自在に嵌入させて１群枠２１が装着される。また、軸孔２２ｄ，切り欠き２２ｅに３群枠のガイド軸２４，２５を摺動自在に嵌入させて３群枠２３が装着される。なお、ガイド軸２４には圧縮バネ２６が挿入されており、常時、３群枠２３は、フィルム面方向への付勢力を受けている。
【００４０】
さらに、２群枠２２には、そのガイド軸２７に軸孔２８ａを摺動自在に嵌入させて可動フォロア２８が装着される。上記３群枠２３がカメラ本体５１の当接力を受けない状態では、可動フォロア２８の係止爪２８ｃが３群枠２３の被係止部２３ｂに係合することによって、３群枠２３の位置決めがなされる。
【００４１】
上述のレンズ群枠部５０Ｃは、前述したレンズ群駆動系５０Ｂのカム枠Ｍ１１およびカム枠Ｆ１２に直進進退可能状態で組み込まれる。また、直進ガイドされるキーリング１３の直進キー１３ｆが２群枠２２の直進ガイド孔２２ｃに摺動自在に嵌入しているので、２群枠２２と共に、１，３群枠２１，２３および可動フォロア２８も直進進退可能に支持される。
【００４２】
そして、１群枠のカムフォロア３１は、カム枠Ｆの１群カム溝１２ｂに嵌入し、２群枠のカムフォロア３２および３３は、カム枠Ｍの２群カム溝１１ｇとカム枠Ｆの２群カム溝１２ｃにそれぞれ嵌入する。さらに、可動フォロアのカムフォロア２８ｂは、カム枠Ｆの３群カム溝１２ｄに嵌入する。
【００４３】
したがって、カム枠Ｍ１１に対する各枠部材等の進退位置としては、２群枠２２は、カム枠Ｍ１１の２群カム溝１１ｇで位置決めされ、カム枠Ｆ１２は、２群枠２２とカム枠Ｆ１２の２群カム溝１２ｃによって位置決めされる。さらに、可動フォロア２８がカム枠Ｆの３群カム溝１２ｄによって位置決めされ、３群枠２３は、上記可動フォロア２８の係止部２８ｃを介して位置決めされる。
【００４４】
ここで、上記２群枠２２の外周部に固着されるカムフォロア３２と、カムフォロア３２が摺動自在に嵌入するカム枠Ｍ１１のカム溝１１ｇの形状とその摺動動作について詳細に説明する。  
図５は、上記カムフォロア３２の正面図であり、図６は、２群枠２２に固着されたカムフォロア３２とカム枠Ｍ１１のカム溝１１ｇとの嵌合状態を示す縦断面図である。
【００４５】
カムフォロア３２は、図５に示すように軸部側に向けて広がるテーパ角θ1 をもつ円錐形状の摺接面３２ａと、上記摺接面の軸側の最大径部、すなわち、カム溝から離脱する方向の端部に設けられるエッヂ部３２ｂと、Ｖカット溝で形成される部分であって、上記エッヂ部３２ｂを形成するための逃げ角θ2 を持つ逃げ面３２ｃと、圧入装着の座部３２ｄと、２群枠２２の軸穴２２ｆに圧入される軸部３２ｅと、軸部３２ｅよりもわずかに小径であり、圧入のガイドとなる導入部３２ｆとを有している。
【００４６】
一方、カム枠Ｍ１１のカム溝１１ｇの摺動傾斜面は、カムフォロア３２の摺接面３２ａのテーパ角θ1 に対応した台形状面である。そして、カムフォロア３２の摺接面３２ａが嵌入した状態では、図６に示すようにカム溝１１ｇの摺動傾斜面が摺接面３２ａの接触長さより長く、エッヂ部３２ｂがカム溝１１ｇの摺動傾斜面内に位置するような状態で嵌合してる。
【００４７】
カム枠Ｍ１１の回動，進退駆動力は、カム溝１１ｇに嵌入したカムフォロア３２を介して、２群枠２２に伝達され、進退駆動される。その駆動動作中、カム枠Ｍ１１のカム溝１１ｇの傾斜面とカムフォロア３２の摺接面３２ａとの当接面には押圧による反力が発生する。
【００４８】
上記反力によりカム枠Ｍ１１，２群枠２２は、互いに外，内方向に変形しようとする。前述したように従来の鏡枠のカム溝，カムフォロアの構造であれば、上記の変形により上記鏡枠のカム溝，カムフォロアの嵌合が外れてしまう危険性がある。しかし、上述したカム溝１１ｇとカムフォロア３２との組み合わせの場合、図６に示すように摺接面３２ａの下方端のエッヂ部３２ｂがカム溝１１ｇの摺動傾斜面上で当接していることから、樹脂製のカム溝１１ｇの摺動傾斜面に食い込んで行くように作用する。その食い込み作用によってカム溝１１ｇとカムフォロアの摺接面３２ａが離れようとする状態が規制され、その嵌合が外れてしまうことが防止される。
【００４９】
次に、以上のように構成されたレンズ鏡筒５０の沈胴，繰り出し動作について説明する。  
レンズ鏡筒５０が沈胴状態にあるときは、図３に示すように回転枠２等すべての部材は、固定枠１内部に沈胴した状態に保持されている。このとき、３群枠２３と可動フレア絞り１５は、カメラ本体５１のアパーチャ５１ａ近傍に設けられた突起５１ｂで押圧され、収納位置にある。なお、この状態では可動フレア絞り１５の先端凸部１５ｃは、カム枠Ｍ１１の外周面１１ａ上を摺接しており、前方に移動している。
【００５０】
レンズ鏡筒５０を沈胴状態から撮影準備状態に駆動するには、ヘリコイドリング駆動ギヤ７をＢ1 方向に回転させ、ヘリコイドリング４をＣ1 方向に回動させる。その回動により回転枠２と移動枠５が直進溝１ｂにガイドされながら一体的にＤ1 方向に移動し、沈胴位置から撮影準備位置まで繰り出される（図４上半部分参照）。この状態では、移動枠５は、直進溝１ｄ，１ｂに係合した状態のままであるが、回転枠２は、その突起２ｃが直進溝１ｂから解放され、駆動リング３の凹部３ｃに係合し、駆動リング３によって回動可能な状態となる。
【００５１】
上記撮影準備状態からさらにズーム駆動系によって駆動リング３をＥ0 方向に僅かな角度だけ回動させると、レンズ鏡筒５０は図４の上半部分に示すワイド状態となる。
【００５２】
また、沈胴状態から撮影準備状態およびワイド状態への駆動過程で１群枠２１，２群枠２２は、回転枠２，移動枠５と共に繰り出される。３群枠２３は、圧縮バネ２６の付勢力でカム枠Ｍ１１および２群枠２２から相対的に後方へ離間し、可動フォロア２８の係止爪２８ｃが３群枠２３の被係止部２３ｂと係合する位置であるワイド対応位置に相対的に後退する。
【００５３】
また、上記駆動過程で可動フレア絞り１５は、カム枠Ｍ１１に対して後退する３群枠２３に押圧され、同様に相対的に後退する。そのとき、腕部１５ｂの先端凸部１５ｃは、カム枠Ｍ１１の端部外周面１１ａ′上に到達し、さらに、カム枠Ｍ１１が僅かワイド位置までＥ0 方向に回動すると、連続傾斜面１１ｄを摺動降下して段差周面１１ｃ上に達する。この状態での可動フレア絞り１５は、カム枠Ｍ１１に対して所定の相対位置にあり、正常なフレア絞りとして機能する。
【００５４】
レンズ鏡筒５０のワイド状態からテレ状態への駆動は、駆動リング３をＥ0 方向に回動駆動し、回転枠２を同方向に回動させることによって行われる（図４の下半部参照）。すなわち、回転枠２のＥ0 方向への回動に伴って、カム枠Ｍ１１が回動し、移動枠５のカム溝５ｈに沿って繰り出される。また、カム枠Ｆ１２も直進溝１１ｆによりカム枠Ｍ１１と共に回動し、その繰り出し位置は、カム溝１２ｃの嵌入する２群枠２２のカムフォロア３３を介して位置決めされる。
【００５５】
そして、２群枠２２は、キーリング１３により直進ガイドされた状態でカムフォロア３２が嵌入するカム枠Ｍ１１の２群カム溝１１ｇによりテレ対応位置に繰り出される。また、１群枠２１は、カムフォロア３１が嵌入するカム枠Ｆ１２の１群カム溝１２ｂにより同様にテレ対応位置に繰り出される。さらに、３群枠２３は、可動フォロア２８がカム枠Ｆ１２の３群カム溝１２ｄにより位置決めされ、その可動フォロア２８の係止爪２８ｂにより同様にテレ対応位置に位置決めされる。
【００５６】
また、ワイド状態からテレ状態をカム枠Ｍ１１が回動，進退駆動する間、可動フレア絞り１５は、キーリング１３の溝１３ｅによって回動することなく保持され、その先端凸部１５ｃが段差側面１１ｂとキーリング１３の溝１３ｅの側面とで挟まれた状態で段差周面１１ｃ上を摺接する。したがって、可動フレア絞り１５は、カム枠Ｍ１１に対して所定の離間位置に確実に保持され、正常なフレア絞りとして機能する。
【００５７】
次に、レンズ鏡筒５０をワイド状態から撮影準備状態さらに沈胴状態に駆動する場合は、駆動リング３を、一旦、Ｅ1 方向に回動させて撮影準備状態とする。その状態で１群枠２１，２群枠２２は、移動枠５内に繰り込まれている。３群枠２３は、カム枠Ｍ１１に対して相対的にまだ後退した位置にある（図４の上半部分参照）。また、可動フレア絞り１５の腕部の先端凸部１５ｃは、カム枠Ｍ１１がＥ1 方向に回動するので、段差周面１１ｃ上から連続傾斜面１１ｄを摺動して端部外周面１１ａ′上に位置する。
【００５８】
その後、ヘリコイドリング駆動ギヤ７をＢ0 方向に回転駆動して、ヘリコイドリング４をＣ0 方向に回動させると、移動枠５と共に回転枠２がＤ0 方向に後退し、回転枠２の突起２ｃの駆動リング３に対する係合が解放される。さらに、ヘリコイドリング４の回転を続行すると、回転枠２が移動枠５とともにＤ0 方向に移動し、固定枠１内に収納される沈胴位置まで繰り込まれる（図３参照）。
【００５９】
上記の沈胴動作で３群枠２３と可動フレア絞り１５は、カメラ本体５１の突起５１ｂに押圧されて圧縮バネ２６の付勢力に抗して相対的に前進する。そして、３群枠２３は、２群枠２２の内部に収納される（図３参照）。一方、可動フレア絞り１５もカム枠Ｍ１１に対して相対的に光軸方向に前進し、腕部の先端凸部１５ｃがカム枠Ｍ１１の端部外周面１１ａ′から外周面１１ａ上を前方に摺動し、収納状態となる（図３参照）。
【００６０】
以上、説明したように本実施の形態のレンズ鏡筒５０においては、カム枠Ｍ１１と２群枠２２との回動，進退駆動構造としてカム溝とカムフォロアを用いた駆動機構を適用する。その駆動機構では、図６に示すようにカムフォロア３２の摺動面３２ａの端部の最大径部にエッヂ３２ｂを設け、そのエッヂ３２ｂをカム溝１１ｇの摺動面上に当接させている。
【００６１】
カム枠Ｍ１１と２群枠２２間の回動，進退動作中にカム溝１１ｇと摺動面３２ａの嵌合部に圧接力が作用して、カム枠Ｍ１１、または、２群枠２２が変形、または、変形しようとしても、上記エッヂ部３２ｂがカム枠Ｍ１１のカム溝１１ｇの摺動面に食い込むように作用する。
【００６２】
したがって、上記カム枠Ｍ１１、あるいは、２群枠２２の枠部の厚みが薄く形成された場合であっても、上述の食い込み作用によって、カム溝１１ｇとカムフォロア３２の嵌合の外れが確実に防止され、良好な２群枠２２の進退駆動が実現できる。
【００６３】
なお、前記図５に示したカムフォロア３２の変形例として、図７の斜視図に示すカムフォロア６２も提案できる。このカムフォロア６２は、摺動面６２ａが円錐面の一部で形成され、その側面がカット面６２ｆである。また、記カムフォロア３２と同様にエッヂ部６２ｂと逃げ面６２ｃと圧入用軸部６２ｅも設けられており、前記カムフォロア３２と同様の効果が得られる。
【００６４】
さらに、前記図５に示したカムフォロア３２およびカム溝１１ｇの他の変形例として、図８のカムフォロア７２およびカム溝７３ａが提案できる。このカムフォロア７２は、円筒面の摺動面７２ａと７２ｄと、摺動面７２ａと７２ｄの中間位置に設けられるＶカット部７２ｃによって形成されるエッヂ部７２ｂと、鏡枠７４に圧入される軸部７２ｅを有している。また、カム溝７３ａは、鏡枠７３の設けられる平行溝である。その嵌合状態ではカム溝７３ａの摺動面内にカムフォロア７２のエッヂ部７２ｂが位置する。
【００６５】
この変形例においても回動，進退駆動動作中にカムフォロア７２のエッヂ部７２ｂがカム溝７３ａの摺動面に食い込むように作用するので、鏡枠７３と鏡枠７４とが変形、または、変形しようとしても、上述の食い込みによりカムフォロア７２の嵌合の外れが防止され、良好な進退駆動が実現できる。
【００６６】
なお、好ましくは、上記摺動面７２ｄは、上記摺動面７２ａよりその外径を僅かに小さくすることにより上述の効果は、さらに向上する。
【００６７】
上述の実施形態に基づいて、
（１）台形状の断面を有するカム溝と、
上記台形状のカム面と摺動嵌合する円錐面を有し、この円錐の最大径部が上記カム面に摺接するカムフォロアと、
を有することを特徴とするレンズ鏡筒を提供できる。
【００６８】
【発明の効果】
以上説明したように本発明によれば、カムフォロアの嵌合部分での外れが発生しにくく、しかも、枠の小型化が可能であって、スムーズな進退駆動が可能であるといった効果を有する。
【図面の簡単な説明】
【図１】
本発明の一実施の形態であるレンズ鏡筒を構成する沈胴駆動系の分解斜視図。
【図２】
上記一実施の形態であるレンズ鏡筒を構成するレンズ群駆動系およびレンズ群枠部の分解斜視図。
【図３】
上記一実施の形態のレンズ鏡筒の縦断面図であり、沈胴状態を示す。
【図４】
上記一実施の形態のレンズ鏡筒の縦断面図であり、上半部が撮影準備状態およびワイド状態を、下半部がテレ状態を示す。
【図５】
上記一実施の形態のレンズ鏡筒における２群枠に固着されるカムフォロアの正面図。
【図６】
上記一実施の形態のレンズ鏡筒におけるカム枠Ｍと２群枠とのカム溝とカムフォロアの嵌合状態での断面図。
【図７】
上記一実施の形態のレンズ鏡筒における２群枠のカムフォロアの変形例の斜視図。
【図８】
上記一実施の形態のレンズ鏡筒におけるカム枠Ｍのカム溝と２群枠のカムフォロアの別の変形例の嵌合状態での断面図。
【符号の説明】
１１  ……カム枠Ｍ（枠，第一の枠）
１１ｇ，７３ａ
……カム溝
２２  ……２群枠（第二の枠）
３２，６２，７２
……カムフォロア
３２ａ，６２ａ，７２ａ
……カムフォロアの摺動面
３２ｂ，６２ｂ，７２ｂ
……カムフォロアのエッヂ部
３２ｅ，６２ｅ，７２ｅ
……カムフォロアの軸部